(57)【要約】  本発明は、ボタンが備えられた外容器と、前記外容器の一側にヒンジ結合されて開閉される外容器蓋とを含むコンパクト容器であって、前記外容器の内側に中体を結合し、前記中体の一側にテンション部を一体に形成し、前記テンション部の下部傾斜部は、３０°乃至５５°の角度と０．５ｍｍ乃至２．５ｍｍの厚さに形成し、外容器蓋の閉鎖の際に、前記外容器蓋によって押圧されて内方に０．２ｍｍ乃至１．０ｍｍ押し込まれるように形成することにより、外容器蓋の開放の際に、前記テンション部が外容器蓋の内周縁を押して前記外容器蓋が弾力的且つスムーズに開くようにし、前記テンション部を製造または組立するためのコスト及び工数を減らして生産性を向上させた、テンション部が一体に形成されたコンパクト容器に関する。
2019522518.tif 000002
【特許請求の範囲】
【請求項１】
外容器（１０）と、
前記外容器（１０）を開閉する外容器蓋（２０）と、
前記外容器（１０）の内側に結合される中体（３０）と、
前記中体（３０）の一側に一体に形成されたテンション部（４０）とを含み、
前記テンション部（４０）は、垂直延長部（４２）と、該垂直延長部（４２）の上部から下方に傾斜するように形成された下部傾斜部（４４）とからなり、外容器蓋（２０）の開放の際に、前記下部傾斜部（４４）が外容器蓋（２０）の内周縁を押して前記外容器蓋（２０）が弾力的かつスムーズに開くことを特徴とする、テンション部が一体に形成されたコンパクト容器。
【請求項２】
前記下部傾斜部（４４）は垂直延長部（４２）から３０°乃至５５°の角度で傾いて形成されることを特徴とする、請求項１に記載のテンション部が一体に形成されたコンパクト容器。
【請求項３】
前記下部傾斜部（４４）は０．５ｍｍ乃至２．５ｍｍの厚さで形成されることを特徴とする、請求項１に記載のテンション部が一体に形成されたコンパクト容器。
【請求項４】
前記下部傾斜部（４４）は、外容器蓋（２０）の閉鎖の際に前記外容器蓋（２０）によって押圧されて内方に０．２ｍｍ乃至１．０ｍｍ押し込まれることを特徴とする、請求項１に記載のテンション部が一体に形成されたコンパクト容器。
【請求項５】
前記下部傾斜部（４４）の下部外周縁には、外容器蓋（２０）の閉鎖の際に前記外容器蓋（２０）の内周縁に密着される密着部（４４２）が形成され、前記密着部（４４２）は、下部傾斜部（４４）の内方に一定角度折られた形態またはラウンド形態であることを特徴とする、請求項１に記載のテンション部が一体に形成されたコンパクト容器。
【発明の詳細な説明】
【技術分野】
【０００１】
本発明は、テンション部が一体に形成されたコンパクト容器に関し、より詳細には、ボタンが備えられた外容器と、前記外容器の一側にヒンジ結合されて開閉される外容器蓋とを含むコンパクト容器であって、前記外容器の内側に中体を結合し、前記中体の一側にテンション部を一体に形成し、前記テンション部の下部傾斜部は、３０°乃至５５°の角度と０．５ｍｍ乃至２．５ｍｍの厚さで形成され、外容器蓋の閉鎖の際に、前記外容器蓋によって押圧されて内方に０．２ｍｍ乃至１．０ｍｍ押し込まれるように形成されることにより、外容器蓋の開放の際に、前記テンション部が外容器蓋の内周縁を押して前記外容器蓋が弾力的且つスムーズに開くようにし、前記テンション部を製造または組立するためのコスト及び工数を減らして生産性を向上させた、テンション部が一体に形成されたコンパクト容器に関する。
【背景技術】
【０００２】
一般に、自分の顔を美しく見せるために使用される化粧品は、その機能によって基礎化粧品、機能性化粧品及びメーキャップ化粧品などに大別される。
【０００３】
前記メーキャップ化粧品は、顔や爪などの体に塗布して色彩感を与えることにより、肌の色を美しく表現し、基礎製品でカバーすることができない肌の欠点を見えないようにするために使用される。
【０００４】
前記メーキャップ化粧品は、肌の色を均一にして欠点をカバーするために使用されるベースメーキャップ化粧品と唇、目、爪など部分的に立体感を高めるポイントメーキャップ化粧品に区分される。上記ベースメーキャップ化粧品としては、メイクアップベース、ファンデーション、パウダーなどが挙げられ、ポイントメーキャップ化粧品としては、口紅、アイライナー、マスカラなどが挙げられる。
【０００５】
前述したようにメーキャップ化粧品が多様に開発されるにつれて、これらのメーキャップ化粧品を入れることができる容器の開発も必要になった。前記ベースメーキャップ化粧品の一つであるファンデーションは、主にガラス容器またはチューブ容器に充填されて、その使用の際には、ユーザーがファンデーションを手で取り分け又は絞り出し、手を使って肌に塗布する。
【０００６】
よって、従来のファンデーション容器は、ユーザーが使用するたびに手に化粧料が付いてしまうことにより、毎回手を洗わなければならなくなり、使い勝手が悪いという問題点があり、さらに化粧料が付いた手を洗うことにより化粧料が失われてしまうという問題点もあった。
【０００７】
かかる問題点を解決するために、パフの内蔵されたコンパクト容器が開発されて、化粧品がユーザーの手に付いてしまうことなく化粧が可能となり、携帯も簡便となった。
【０００８】
ところが、従来のコンパクト容器は、容器蓋を開放するとき、一方の手で容器本体のボタンを押して前記容器本体と容器蓋との締結を解除し、もう一方の手で前記容器蓋を持ち上げなければならないという不便さがあった。
【０００９】
したがって、容器蓋が弾力的に開く技術として、図１に示すような韓国公開実用新案第２０−１９９１−１４９９３号が開示されおり、当該容器は、容器本体のヒンジの両側に弾性部材を形成して容器蓋が弾力的に開くようにしたものである。しかし、弾性部材を別途形成してヒンジの両側に接合する構造であるため、製造コストと組立工数が増えて、生産性が低下されるという問題点があった。さらに、長い期間使用されると、弾性部材と容器との接着力が弱くなって抜けられてしまうという問題点があった。
【００１０】
かかる問題点を解決するために、本出願人は、図２に示すような韓国公開実用新案第２０−２０１６−０００１４６１号のコンパクト容器を出願しており、当該コンパクト容器は、容器蓋のヒンジ上部にテンションバーを一体に形成して、容器蓋を閉じるときに前記テンションバーが内容器の上側端部を加圧するので、別個の弾性部材を形成しなくても、ボタンを押して容器蓋を開放するときに容器蓋が弾力的に開くものである。
【００１１】
ところが、上記従来技術はテンションバーが内容器の上側端部を強く押しているので、容器蓋を開ける瞬間、前記容器蓋が突然飛び上がってしまい、むしろ使い勝手が悪いという問題点があった。
【００１２】
また、上記従来技術は内容器の上端とテンションバーの下面とが密着するように組み立てなければならないので、前記内容器、容器蓋及び容器本体の組立の際に微細な誤差が生じた場合には、前記テンションバーが内容器の上端から離隔されて正常に機能を果たさなくなり、不良品が発生する問題点があった。
【発明の概要】
【発明が解決しようとする課題】
【００１３】
本発明は、前述したような問題点を解決するためになされたもので、その目的は、ボタンが備えられた外容器と、前記外容器の一側にヒンジ結合されて開閉される外容器蓋とを含むコンパクト容器であって、前記外容器の内側に中体を結合し、前記中体の一側にテンション部を一体に形成し、前記テンション部の下部傾斜部は、３０°乃至５５°の角度と０．５ｍｍ乃至２．５ｍｍの厚さに形成し、外容器蓋の閉鎖の際に、前記外容器蓋によって押圧されて内方に０．２ｍｍ乃至１．０ｍｍ押し込まれるように形成することにより、外容器蓋の開放の際に、前記テンション部が外容器蓋の内周縁を押して前記外容器蓋が弾力的且つスムーズに開くようにし、前記テンション部を製造または組立するためのコスト及び工数を減らして生産性を向上させた、テンション部が一体に形成されたコンパクト容器を提供することにある。
【００１４】
また、本発明は、前記テンション部を垂直延長部と下部傾斜部から構成し、前記下部傾斜部が外容器蓋の内周縁に密着しながら内方に曲がるようにすることにより、外容器蓋を開けるときに前記テンション部が外容器蓋の内周縁を外容器蓋の回転方向に押して前記外容器蓋が自然に開くようにした、テンション部が一体に形成されたコンパクト容器を提供することを目的とする。
【課題を解決するための手段】
【００１５】
本発明は、外容器１０と、
前記外容器１０を開閉する外容器蓋２０と、
前記外容器１０の内側に結合される中体３０と、
前記中体３０の一側に一体に形成されたテンション部４０とを含み、
前記テンション部４０は、垂直延長部４２と、前記垂直延長部４２の上部から下方に傾斜するように形成された下部傾斜部４４とからなり、外容器蓋２０の開放の際に、前記下部傾斜部４４が外容器蓋２０の内周縁を押して前記外容器蓋２０が弾力的かつスムーズに開くことを特徴とする、テンション部が一体に形成されたコンパクト容器を提供する。
【００１６】
また、前記外容器１０の内側には、化粧料が収容される内容器５０及び前記内容器５０を開閉する内容器蓋６０が、さらに結合されることを特徴とする。
【００１７】
また、前記下部傾斜部４４は、垂直延長部４２から３０°乃至５５°の角度で傾いて形成できる。
【００１８】
また、前記下部傾斜部４４は０．５ｍｍ乃至２．５ｍｍの厚さに形成できる。
【００１９】
また、前記下部傾斜部４４は、外容器蓋２０の閉鎖の際に前記外容器蓋２０によって押圧されて内方に０．２ｍｍ乃至１．０ｍｍ押し込まれてもよい。
【００２０】
また、前記下部傾斜部４４の下部外周縁には、外容器蓋２０の閉鎖の際に前記外容器蓋２０の内周縁に密着する密着部４４２が形成され、前記密着部４４２は、下部傾斜部４４の内方に一定角度折られた形態であってもよい。
【００２１】
また、前記テンション部４０は、ポリプロピレン（ｐｏｌｙｐｒｏｐｙｌｅｎｅ）またはＡＢＳ（Ａｃｒｙｌｏｎｉｔｒｉｌｅ  Ｂｕｔａｄｉｅｎｅ  Ｓｔｙｒｅｎｅ）材質で形成され、中体３０と二重射出またはインサート射出できる。
【発明の効果】
【００２２】
本発明に係るテンション部が一体に形成されたコンパクト容器は、 前記外容器の内側に中体を結合し、前記中体の一側にテンション部を一体に形成し、前記テンション部の下部傾斜部は、３０°乃至５５°の角度と０．５ｍｍ乃至２．５ｍｍの厚さに形成し、外容器蓋の閉鎖の際に、前記外容器蓋によって押圧されて内方に０．２ｍｍ乃至１．０ｍｍ押し込まれるように形成することにより、外容器蓋の開放の際に、前記テンション部が外容器蓋の内周縁を押して前記外容器蓋が弾力的且つスムーズに開くようにし、前記テンション部を製造または組立するためのコスト及び工数を減らして生産性を向上させるという効果がある。
【００２３】
また、本発明に係るテンション部が一体に形成されたコンパクト容器は、テンション部を垂直延長部と下部傾斜部から構成し、前記下部傾斜部が外容器蓋の内周縁に密着しながら内方に曲がるようにすることにより、外容器蓋を開けるときに前記テンション部が外容器蓋の内周縁を外容器蓋の回転方向に押して前記外容器蓋が自然に開くようにするという効果がある。
【図面の簡単な説明】
【００２４】
【図１】従来のコンパクト容器を示す図である。
【図２】従来のボタンが一体に形成されたコンパクト容器を示す図である。
【図３】本発明に係るテンション部が一体に形成されたコンパクト容器の斜視図である。
【図４】本発明に係るテンション部が一体に形成されたコンパクト容器の分解斜視図である。
【図５】本発明に係るテンション部が一体に形成されたコンパクト容器の断面図である。
【図６】本発明に係るテンション部が一体に形成されたコンパクト容器の外容器蓋が開放される様子を示す断面図である。
【図７】本発明に係るテンション部が一体に形成されたコンパクト容器の外容器蓋が開放された様子を示す斜視図である。
【発明を実施するための形態】
【００２５】
以下、本発明に係るテンション部が一体に形成されたコンパクト容器の一実施形態につて、添付図面を参照して説明する。
【００２６】
図３は本発明に係るテンション部が一体に形成されたコンパクト容器の斜視図であり、図４は本発明に係るテンション部が一体に形成されたコンパクト容器の分解斜視図であり、図５は本発明に係るテンション部が一体に形成されたコンパクト容器の断面図である。
【００２７】
本発明に係るテンション部が一体に形成されたコンパクト容器は、外容器１０と、前記外容器１０を開閉する外容器蓋２０と、前記外容器１０の内側に結合される中体３０と、前記中体３０の一側に一体に形成されたテンション部４０とを含み、前記テンション部４０は、垂直延長部４２と、該垂直延長部４２の上部から下方に傾斜するように形成された下部傾斜部４４とからなり、外容器蓋２０の開放の際に、前記下部傾斜部４４が外容器蓋２０の内周縁を押して前記外容器蓋２０が弾力的かつスムーズに開くことを特徴とする。
【００２８】
前記外容器１０は、上部と下部が開放された形態であり、内側に中体３０が結合される。
【００２９】
前記外容器１０の一側にはボタン挿入ホール１２が形成されて前記ボタン挿入ホール１２にボタン１４が結合され、前記ボタン１４の上部には係止突起１４２が突設される。
【００３０】
前記ボタン挿入ホール１２の向かい側には容器ヒンジ部１６が形成され、前記容器ヒンジ部１６には第１ヒンジピン１７が結合される。
【００３１】
前記外容器１０の内周縁には、中体３０の結合される結合溝１８が形成され、前記結合溝１８の下側には、内容器５０の結合される締結突起１５が形成される。
【００３２】
前記外容器蓋２０は、外容器１０の一側にヒンジ結合されて前記外容器１０を開閉する。
【００３３】
前記外容器蓋２０の一側には、ボタン１４の係止突起１４２に締結される突起形状のフック２４が形成され、内側には、ユーザーが容易に化粧をすることができるように鏡２２が備えられてもよい。
【００３４】
前記外容器蓋２０のフック２４の向かい側には蓋ヒンジ部２６が形成され、外容器１０の容器ヒンジ部１６と第１ヒンジピン１７によってヒンジ結合される。
【００３５】
前記外容器１０の内側には、化粧料が収容されるか、又は、化粧料の含浸された含浸部材が内蔵される内容器５０がさらに結合できる。
【００３６】
前記内容器５０は、底面５２と、前記底面５２から上方に延設された内壁５４と、前記内壁５４の外側に一定間隔離隔して上方に延設された外壁５８とから構成される。
【００３７】
前記内容器５０の下部外周縁には締結溝５５が形成され、前記外容器１０の締結突起１５と結合される。
【００３８】
前記内容器５０には内容器蓋６０がヒンジ結合されることにより、前記内容器５０を開閉することができる。
【００３９】
前記内容器５０の一側には内容器ヒンジ部５６が形成され、前記内容器蓋６０の一側には内容器蓋ヒンジ部６６が形成され、第２ヒンジピン５７によって内容器ヒンジ部５６とヒンジ結合される。
【００４０】
前記内容器蓋６０の内容器蓋ヒンジ部６６の向かい側には、ユーザーが内容器蓋６０を容易に掴むことができるように取っ手６２が外方に突設される。
【００４１】
前記内容器蓋６０の上部には、パフなどのメイク道具の収容されるパフ収容溝６３が形成され、下面には、密閉環状突条６４が下方に突出するように設けられることにより、内容器５０の外壁５８の内周縁に密着する。
【００４２】
前記内容器５０の上部には固定具７０がさらに結合でき、前記固定具７０は、内容器５０の内壁５４に結合されることにより、内容器５０の内部に内蔵された含浸部材の外部への離脱を防止する。
【００４３】
前記中体３０は外容器１０の内側に結合され、前記中体３０の外周縁には、外容器１０の結合溝１８に結合される結合突起３８が多数設けられる。
【００４４】
前記中体３０の一側には、ボタン１４の上部が貫通するボタン貫通孔３２が設けられ、前記ボタン貫通孔３２の向かい側には、テンション部４０が設けられる。
【００４５】
図６は本発明に係るテンション部が一体に形成されたコンパクト容器の外容器蓋が開放される様子を示す断面図であり、図７は本発明に係るテンション部が一体に形成されたコンパクト容器の外容器蓋が開放された様子を示す斜視図である。
【００４６】
前記テンション部４０は、中体３０の後方に一体に形成され、図５に示すように、中体３０の一側に垂直に形成された垂直延長部４２と、前記垂直延長部４２の上部から下方に傾くように形成された下部傾斜部４４とからなる。
【００４７】
前記テンション部４０の垂直延長部４２は、中体３０と下部傾斜部４４とを連結するとともに、前記下部傾斜部４４を支持する役割を果たす。
【００４８】
前記テンション部４０の下部傾斜部４４は、図６に示すように、外容器蓋２０が開放されるとき、前記外容器蓋２０の蓋ヒンジ部２６の内周縁を外容器蓋２０の回転方向に押して前記外容器蓋２０が弾力的且つスムーズに開くようにする。
【００４９】
前記下部傾斜部４４は、垂直延長部４２から３０°乃至５５°の角度で傾いて形成できる。
【００５０】
詳しくは、前記垂直延長部４２の上部と下部傾斜部４４の上部とが連結された部分を軸として、前記下部傾斜部４４が垂直延長部４２から傾いた角度は３０°乃至５５°であることが好ましい。
【００５１】
前記下部傾斜部４４の角度が３０°未満である場合には、外容器蓋２０の閉鎖の際に、前記下部傾斜部４４が外容器蓋２０の蓋ヒンジ部２６の内周縁に密着されて圧縮される距離が短いため、外容器蓋２０の開放の際に、前記外容器蓋２０が弾力的に開かなくなるという問題が生じる。
【００５２】
前記下部傾斜部４４の角度が５５°を超える場合には、下部傾斜部４４が過剰に持ち上げられ、外容器蓋２０の閉鎖の際に、前記下部傾斜部４４の端部が外容器蓋２０の蓋ヒンジ部２６を喰い込むように当接し、下部傾斜部４４がテンションを受けて曲がらずに、むしろ垂直延長部４２が後方に押される。この時、前記垂直延長部４２は、後方に押されることができる空間がないため、前記下部傾斜部４４が破損されるか或いは外容器蓋２０が閉じられなくなる問題が生じる。
【００５３】
また、前記下部傾斜部４４は０．５ｍｍ乃至２．５ｍｍの厚さに形成できる。
【００５４】
前記下部傾斜部４４の厚さが０．５ｍｍ未満である場合には、外容器蓋２０の閉鎖の際に、下部傾斜部４４が外容器蓋２０の蓋ヒンジ部２６の内周縁に押し潰されて破損してしまうという問題があり、２．５ｍｍを超える場合には、外容器蓋２０の閉鎖の際に、下部傾斜部４４がテンションを受けて容易に内方に押し込まれなくなって前記外容器蓋２０が閉じられなくなり、前記外容器蓋２０が過度に押圧されて外容器１０と外容器蓋２０とのヒンジ結合部が破損してしまうという問題が生じる。
【００５５】
また、前記下部傾斜部４４は、外容器蓋２０の閉鎖の際に、前記外容器蓋２０によって押圧されて内方に０．２ｍｍ乃至１．０ｍｍ押し込まれるように形成することが好ましい。
【００５６】
前記外容器蓋２０の閉鎖の際に、下部傾斜部４４が外容器蓋２０の蓋ヒンジ部２６によって押圧されて内方に０．２ｍｍ未満で押し込まれる場合、外容器蓋２０の開放の際に、下部傾斜部４４が外容器蓋２０を押し出す力が弱いため、前記外容器蓋２０が弾力的に開かなくなる。
【００５７】
前記外容器蓋２０の閉鎖の際に、下部傾斜部４４が外容器蓋２０の蓋ヒンジ部２６によって押圧されて内方に１．０ｍｍを超えて押し込まれる場合、外容器蓋２０の開放の際に、下部傾斜部４４が外容器蓋２０を押し出す力が強すぎるため、前記外容器蓋２０が突然飛び上がって使い勝手が悪いという問題がある。
【００５８】
前記下部傾斜部４４の下部には密着部４４２が形成され、前記密着部４４２は、図６の拡大図に示すように、下部傾斜部４４の内方に一定角度折られた形態またはラウンド形態であってもよい。
【００５９】
前記密着部４４２は、外容器蓋２０の閉鎖の際に、前記外容器蓋２０の蓋ヒンジ部２６の内周縁に直接密着し、外容器蓋２０の開放の際に、前記外容器蓋２０の蓋ヒンジ部２６を外容器蓋２０の回転方向に押し出す役割を果たす。
【００６０】
前記テンション部４０は、ポリプロピレン（ｐｏｌｙｐｒｏｐｙｌｅｎｅ）またはＡＢＳ（Ａｃｒｙｌｏｎｉｔｒｉｌｅ  Ｂｕｔａｄｉｅｎｅ  Ｓｔｙｒｅｎｅ）材質で形成され、前記中体３０と二重射出またはインサート射出できる。
【００６１】
次に、上述したように構成された、テンション部が一体に形成されたコンパクト容器の組み立て方法を説明する。
【００６２】
本発明に係るテンション部が一体に形成されたコンパクト容器を組み立てるためには、図４及び図６に示すように、まず、外容器１０のボタン挿入ホール１２にボタン１４を結合し、前記外容器１０の内側に中体を結合し、前記中体３０の結合突起３８が外容器１０の結合溝１８に結合されるようにする。
【００６３】
このとき、前記中体３０の一側にはテンション部４０が一体に形成された状態である。
【００６４】
次いで、内容器５０の一側に内容器蓋６０をヒンジ結合し、前記内容器５０の内部に化粧料を充填し、或いは化粧料の含浸された含浸部材を内蔵した後、前記内容器５０の上部に固定具７０を結合する。
【００６５】
その後、上述のように組み立てられた内容器５０を外容器１０に装着し、前記内容器５０を中体３０の内側に挿入し、内容器５０の締結溝５５に外容器１０の締結突起１５が結合されるようにする。
【００６６】
最後に、前記外容器１０の一側に外容器蓋２０をヒンジ結合することにより、本発明に係るテンション部が一体に形成されたコンパクト容器の組立を完了する。
【００６７】
以下、上述したような方法で組み立てられた、テンション部が一体に形成されたコンパクト容器の使用方法を説明する。
【００６８】
本発明に係るテンション部が一体に形成されたコンパクト容器を使用するためには、まず、ボタン１４を押圧して前記ボタン１４の係止突起１４２と外容器蓋２０のフック２４との締結を解除する。
【００６９】
このとき、前記外容器蓋２０によって押圧されていたテンション部４０が、図６に示すように外容器蓋２０の蓋ヒンジ部２６の内周縁を外容器蓋２０の回転方向に押して、前記外容器蓋２０が、図７に示すように弾力的かつスムーズに上方に持ち上げられる。
【００７０】
その後、内容物５０の上部に結合された内容器蓋６０の取っ手６２を掴んで回動させることにより前記内容器５０から内容器蓋６０を開放した後、パフなどのメイク道具で内容器５０の内部に収容された化粧料をつけて肌にまんべんなく塗る。
【００７１】
化粧が終わった後には、前記内容器蓋６０を回動させて内容器５０を閉じ、その後、前記外容器蓋２０を回動させて外容器１０を閉じる。
【００７２】
このとき、前記外容器蓋２０の蓋ヒンジ部２６の内周縁がテンション部４０を押圧して前記テンション部４０が内方に押し込まれることになる。
【００７３】
以上、本発明で説明したのは、テンション部が一体に形成されたコンパクト容器を実施するための一つの実施形態に過ぎないものであり、本発明は、前記実施形態に限定されるものではない。添付された請求の範囲で請求するように、本発明の要旨を逸脱することなく当該発明の属する分野における通常の知識を有する者であれば誰でも様々な変更実施が可能な範囲まで本発明の範囲に属するものと理解されるべきである。
【符号の説明】
【００７４】
１０    外容器
１４    ボタン
２０    外容器蓋
２６    蓋ヒンジ部
３０    中体
３２    ボタン貫通孔
４０    テンション部
４２    垂直延長部
４４    下部傾斜部
５０    内容器
６０    内容器蓋
７０    固定具
４４２  密着部
【図１】
2019522518.tif 000003
【図２】
2019522518.tif 000004
【図３】
2019522518.tif 000005
【図４】
2019522518.tif 000006
【図５】
2019522518.tif 000007
【図６】
2019522518.tif 000008
【図７】
2019522518.tif 000009
【国際調査報告】
2019522518.tif 000010
2019522518.tif 000011
2019522518.tif 000012
2019522518.tif 000013